(57)【要約】【課題】着用者の揉み上げや顎鬚の脱落や、揉み上げや顎鬚に付着した塵埃の飛散を可及的に低減させることができる防塵フードを提供する。【解決手段】防塵フード１は、着用者１０の頭部１１及び頸部１２を覆うフード本体２と、フード本体２に設けられ、着用者１０の顔面１３が露出する開口部３と、開口部３の周縁下部３ａに設けられ、着用者１０の顎部１４の前面１４ａを被覆する顎被覆部４と、を備える。顎被覆部４は、着用者１０の口唇部１５の直下位置１５ａまで被覆可能に設けられる。顎被覆部４は、フード本体２の内側部分２ａに設けられる。【選択図】図４
2017125268.tif 000002
【特許請求の範囲】
【請求項１】
着用者の頭部及び頸部を覆うフード本体と、
前記フード本体に設けられ、前記着用者の顔面が露出する開口部と、
前記開口部の周縁下部に設けられ、前記着用者の顎部の前面を被覆する顎被覆部と、を備えてなる防塵フード。
【請求項２】
前記顎被覆部は、前記着用者の口唇部の直下位置まで被覆可能に設けられてなる請求項１に記載の防塵フード。
【請求項３】
前記顎被覆部は、前記フード本体の内側部分に設けられてなる請求項１又は２に記載の防塵フード。
【発明の詳細な説明】
【技術分野】
【０００１】
本発明は、食品、医薬品等を製造する工場、半導体等を製造するクリーンルーム等で使用される防塵フードに関する。
【背景技術】
【０００２】
従来の防塵フードは、主に、食品、医薬品等を製造する工場、あるいは、半導体等を製造するクリーンルーム等で作業する作業者等の着用者が防塵のために着用するものである。この種の防塵フードは、例えば、着用者の頭部及び頸部の全体を被覆するものが知られている（特許文献１参照）。
【０００３】
上記特許文献１に記載の防塵フードは、着用者の頭部及び頸部の全体を覆う伸縮性を有する布地からなるフード本体と、フード本体に設けられ着用者の顔面が露出する開口部と、を有している。このような防塵フードでは、着用時において着用者の頭部及び頸部の全体が被覆され、着用者の頭髪が露出することがなくなるから、着用者の頭髪の脱落や、頭髪に付着した塵埃の飛散を防止することができる。
【先行技術文献】
【特許文献】
【０００４】
【特許文献１】特開平１０−２５６１３号公報
【発明の概要】
【発明が解決しようとする課題】
【０００５】
しかしながら、前記従来の防塵フードでは、着用時において開口部から顔面が露出するから、例えば、揉み上げが多い着用者においては、着用時に開口部から揉み上げが露出することがあった。このように、開口部から揉み上げが露出すると、揉み上げが脱落したり、揉み上げに付着した塵埃が飛散するという問題があった。
【０００６】
また、前記従来の防塵フードでは、着用時において顎部から眉部の直下位置までの間の顔面が開口部から露出している。このため、例えば、顎鬚を有する着用者においては、着用時において開口部から顎鬚が露出し、顎鬚が脱落したり、顎鬚に付着した塵埃が飛散するという問題があった。
【０００７】
本発明は、上述の事情に鑑みて、着用者の揉み上げや顎鬚の脱落や、揉み上げや顎鬚に付着した塵埃の飛散を可及的に低減させることができる防塵フードを提供することを目的としている。
【課題を解決するための手段】
【０００８】
上記目的を達成するための手段を図面の参照符号を付して示せば、請求項１の発明に係る防塵フード１は、着用者１０の頭部１１及び頸部１２を覆うフード本体２と、前記フード本体２に設けられ、前記着用者１０の顔面１３が露出する開口部３と、前記開口部３の周縁下部３ａに設けられ、前記着用者１０の顎部１４の前面１４ａを被覆する顎被覆部４と、を備えてなることを特徴としている。
【０００９】
請求項２の発明は、上記請求項１の防塵フード１において、前記顎被覆部４は、前記着用者１０の口唇部１５の直下位置１５ａまで被覆可能に設けられてなることを特徴としている。
【００１０】
請求項３の発明は、上記請求項１又は２の防塵フード１において、前記顎被覆部４は、前記フード本体２の内側部分２ａに設けられてなることを特徴としている。
【発明の効果】
【００１１】
以下に、本発明の効果について、図面の参照符号を付して説明する。請求項１の発明に係る防塵フード１は、着用者１０の顎部１４の前面１４ａを被覆する顎被覆部４が開口部３の周縁下部３ａに設けられているから、着用時において顎部１４の前面１４ａが顎被覆部４に接触することによって、顎被覆部４及び開口部３の周縁下部３ａが前方及び下方に引っ張られ、さらに、開口部３の周縁上部３ｂ、周縁右部３ｃ及び周縁左部３ｄが前方及び下方に引っ張られることとなり、もって、開口部３の顔面１３が露出する面積を小さくすることができる。これにより、揉み上げが多い着用者１０であっても、開口部３から揉み上げが露出することがなくなり、もって、着用者１０の揉み上げの脱落や、揉み上げに付着した塵埃の飛散を可及的に低減させることができる。
【００１２】
さらに、請求項１の発明によれば、着用時において顎部１４の前面１４ａが顎被覆部４によって被覆されるから、顎鬚を有する着用者１０であっても、開口部３から顎鬚が露出することがなくなり、もって、着用者１０の顎鬚の脱落や、顎鬚に付着した塵埃の飛散を可及的に低減させることができる。
【００１３】
請求項２の発明によれば、顎被覆部４が着用者１０の口唇部１５の直下位置１５ａまで被覆可能に設けられているから、口唇部１５の直下位置１５ａまで顎鬚を有する着用者１０であっても、顎鬚が顎被覆部４によって被覆され、もって、着用者１０の顎鬚の脱落や、顎鬚に付着した塵埃の飛散をより可及的に低減させることができる。
【００１４】
請求項３の発明によれば、顎被覆部４がフード本体２の内側部分２ａに設けられているから、着用時において顎部１４の前面１４ａが顎被覆部４にフィットするように接触するから、着用者１０の揉み上げや顎鬚の脱落や、揉み上げや顎鬚に付着した塵埃の飛散をさらに可及的に低減させることができる。
【図面の簡単な説明】
【００１５】
【図１】本発明の一実施形態に係る防塵フードを例示する斜視図である。
【図２】同実施形態に係る防塵フードを例示する正面図である。
【図３】同実施形態に係る防塵フードを例示する側面図である。
【図４】同実施形態に係る防塵フードの使用状態を例示する斜視図である。
【発明を実施するための形態】
【００１６】
以下に、本発明に係る防塵フードの一実施形態について、図面を参照して具体的に説明する。なお、以下の説明において、上下左右の方向を示す場合は、図示正面から見た場合の上下左右をいうものとする。
【００１７】
図１〜図３に示すように、防塵フード１は、主に、食品、医薬品等を製造する工場、あるいは、半導体等を製造するクリーンルーム等で作業する作業者等の着用者１０（図４参照）が防塵のために着用するものであって、主に、着用者１０の頭髪の脱落や、頭髪に付着した塵埃の飛散を防止するものである。
【００１８】
防塵フード１は、図４に示すように、着用者１０の頭部１１及び頸部１２を覆うフード本体２と、フード本体２に設けられ着用者１０の顔面１３が露出する開口部３と、開口部３の周縁下部３ａに設けられ着用者１０の顎部１４の前面１４ａを被覆する顎被覆部４と、開口部３の周縁上部３ｂに設けられ眉部１６を被覆する眉被覆部５と、開口部３の周縁右部３ｃ及び周縁左部３ｄに設けられ眼鏡２０の蔓２１を差し込む蔓差込部６と、を備える。
【００１９】
フード本体２は、図４に示すように、着用者１０の頭部１１及び頸部１２の全体を覆う伸縮性を有する布地からなるものである。フード本体２の材料となる伸縮性を有する布地は、例えば、ポリウレタン、ポリエステル等の化学繊維からなる肌触りの良好な布地であって、トリコット等の経編（タテアミ）によって編まれた編物である。そして、フード本体２は、着用時において着用者１０の頭部１１及び頸部１２の全体を覆うように、頭部１１側が底部となる楕円球形状の内部空間を有するとともに、頸部１２（裾部）側が開口部となる截頭錐台形状（正面視で裾部側が広がるスカート形状）の内部空間を有する袋状をなしている。そしてさらに、フード本体２は、図１〜図３に示すように、左右対称形状となる２枚の布地を、着用時において着用者１０（図４参照）の正中線に沿うように、前側の下部、上側の全部、後側の全部を、それぞれ縫製糸によって縫い合わせたものである。フード本体２の前側の下部、裾部の全部は、それぞれ、三つ折りバインダによって仕上げ処理され、フード本体２の上側の全部、後側の全部は、一体的に連なるように、両面飾り縫いによって仕上げ処理される。また、フード本体２の前側の上部には、着用時において着用者１０の顔面１３が露出する開口部３が形成され、開口部３の周縁下部３ａ、周縁上部３ｂは、フード本体２の前側の下部とともに、一体的に連なるように、三つ折りバインダによって仕上げ処理される。
【００２０】
なお、本実施形態のフード本体２は、トリコット等の経編によって編まれた編物であったが、これに限定されるものではなく、例えば、ラッセル等の他の経編によって編まれた編物や、平編、リブ編、両面編、パール編等の緯編（ヨコアミ）によって編まれた編物であってもよい。また、フード本体２は、伸縮性を有するものであれば、織物、不織布等であってもよく、例えば、平織、綾織、朱子織等によって織られた織物や、スパンボンド不織布等の不織布であってもよい。また、フード本体２の材料は、ポリウレタン、ポリエステル等の化学繊維に限定されるものではなく、ポリプロピレン、ポリエチレン等の他の化学繊維や、綿、麻、絹等の天然繊維であってもよい。また、フード本体２の仕上げ処理は、三つ折りバインダ、両面飾り縫いに限定されるものではなく、例えば、四つ折りバインダ、片面飾り縫い（二重環下飾り縫い、カバーステッチ）等であってもよい。
【００２１】
開口部３は、図２及び図４に示すように、着用者１０の顔面１３が露出するように、正面視で逆雫形状となる開口部であって、着用者１０の顔面１３のうち、着用時において顎部１４から眉部１６までの間の顔面１３が露出するものである。ただし、防塵フード１は、着用時において、顎部１４の前面１４ａが顎被覆部４によって被覆され、眉部１６が眉被覆部５によって被覆されるから、口唇部１５から眉部１６の直下位置までの間の顔面１３が露出するものである。
【００２２】
顎被覆部４は、図１〜図３に示すように、開口部３の周縁下部３ａに設けられ、着用者１０の顎部１４の前面１４ａを被覆するものである。顎部１４の前面１４ａとは、下顎先端部の前側中央部分であって、頤（オトガイ）と呼ばれる部分である。顎被覆部４は、図４に示すように、着用者１０の口唇部１５の直下位置１５ａまで被覆可能に設けられる。口唇部１５の直下位置１５ａとは、下唇を含まない下唇の直下位置であって、顎部１４の前面１４ａに含まれる位置である。顎被覆部４が口唇部１５の直下位置１５ａまで被覆されるためには、顎被覆部４の上下方向の最大長さ（マチ丈）は、３ｃｍ以上７ｃｍ以下であることが好ましく（本実施形態では、５ｃｍである）、顎被覆部４の左右方向の最大長さ（マチ幅）は、３ｃｍ以上７ｃｍ以下であることが好ましい（本実施形態では、５．５ｃｍである）。このように、顎被覆部４の長さを好ましい範囲にすることにより、顎被覆部４が着用者１０の口唇部１５の直下位置１５ａまで被覆可能に設けられ、口唇部１５の直下位置１５ａまで顎鬚を有する着用者１０であても、顎鬚が顎被覆部４によって被覆され、もって、着用者１０の顎鬚の脱落や、顎鬚に付着した塵埃の飛散をより可及的に低減させることができる。
【００２３】
顎被覆部４は、図２及び図３に示すように、正面視で逆三角形状をなしているとともに、開口部３の前方に僅かに突出可能な伸縮性を有する布地からなる。そして、顎被覆部４は、例えば、フード本体２と同一の布地からなり、詳細には、ポリウレタン、ポリエステル等の化学繊維からなる肌触りの良好な布地からなる。そしてさらに、顎被覆部４は、図１及び図２に示すように、フード本体２の内側部分２ａに縫い付けられる。詳細には、顎被覆部４の逆三角形状の右側部分４ａ及び左側部分４ｂが、それぞれ、開口部３の周縁下部３ａの右側部分３ａ１及び左側部分３ａ２の内側に縫い付けられる。なお、これらの縫い付け部分は、開口部３の周縁下部３ａの三つ折りバインダによって挟み込まれる。これにより、顎被覆部４がフード本体２の内側部分２ａに設けられるから、着用時において顎部１４の前面１４ａが顎被覆部４にフィットするように接触し、もって、着用者１０の揉み上げや顎鬚の脱落や、揉み上げや顎鬚に付着した塵埃の飛散をさらに可及的に低減させることができる。
【００２４】
なお、本実施形態の顎被覆部４は、正面視で逆三角形状をなしていたが、顎被覆部４の形状はこれに限定されるものではなく、例えば、正面視で矩形状、正面視で半円形状、正面視で三角形状、正面視でＵ字形状、正面視でＶ字形状等をなしていてもよい。
【００２５】
眉被覆部５は、図１〜図３に示すように、開口部３の周縁上部３ｂに設けられ、眉部１６を被覆するものである。眉部１６とは、図示しない眉毛及び前髪の全部を含む額部（前頭部）である。この眉被覆部５は、図２及び図３に示すように、正面視で半円形状をなしているとともに、開口部３の前方に僅かに突出可能な伸縮性を有する布地からなる。そして、この眉被覆部５は、例えば、フード本体２と同一の布地からなり、詳細には、ポリウレタン、ポリエステル等の化学繊維からなる肌触りの良好な布地からなる。そしてさらに、この眉被覆部５は、図１及び図２に示すように、フード本体２の内側部分２ａに縫い付けられ、詳細には、眉被覆部５の円弧形状の上側部分５ａが、開口部３の周縁上部３ｂの上側部分３ｂ１の内側に縫い付けられる。なお、この縫い付け部分は、開口部３の周縁上部３ｂの三つ折りバインダによって挟み込まれる。これにより、眉被覆部５が着用者１０の眉部１６を被覆可能に設けられ、眉毛及び前髪の全部が眉被覆部５によって被覆されるから、着用者１０の眉毛や前髪の脱落や、眉毛や前髪に付着した塵埃の飛散を可及的に低減させることができる。また、眉被覆部５がフード本体２の内側部分２ａに設けられるから、着用時において眉部１６にフィットするように接触し、もって、着用者１０の眉毛や前髪の脱落や、眉毛や前髪に付着した塵埃の飛散をさらに可及的に低減させることができる。
【００２６】
蔓差込部６は、図１〜図４（特に、図４参照）に示すように、開口部３の周縁右部３ｃ及び周縁左部３ｄに設けられ、眼鏡２０の蔓２１を差し込み、眼鏡２０を頭部１１に装着するものである。眼鏡２０の蔓２１は、前部においてレンズ枠を支持するとともに、後部において耳部に装着するテンプルと呼ばれるものであって、前後方向に延びる棒状部材である。蔓差込部６は、図１〜図３に示すように、開口部３の周縁右部３ｃ及び周縁左部３ｄの外側に前部が開口するように設けられる開口部６ａと、開口部３の周縁右部３ｃ及び周縁左部３ｄの内側に開口部６ａと連通するように設けられる挿通部６ｂと、挿通部６ｂの後部にフード本体２の内部と連通するように設けられる連通部６ｃと、を備える。開口部６ａは、開口部３の周縁右部３ｃ及び周縁左部３ｄの外側において、フード本体２の外側部分２ｂが側面視で半円形状となるように切り取られ、フード本体２の外部と連通する開口部であって、図４に示すように、眼鏡２０の蔓２１が差し込まれる部分である。そして、この開口部６ａの円弧状部分は、二つ折り縫いによって仕上げ処理される。挿通部６ｂは、開口部３の周縁右部３ｃ及び周縁左部３ｄの内側に縫い付けられ、前後方向に延びる側面視で矩形状となる袋状の部分であって、図４に示すように、眼鏡２０の蔓２１が前後方向に挿脱される部分である。この挿通部６ｂは、例えば、フード本体２と同一の布地からなり、詳細には、ポリウレタン、ポリエステル等の化学繊維からなる肌触りの良好な布地からなる。そして、この挿通部６ｂは、前部において開口部６ａと連通するとともに、後部において連通部６ｃと連通するようになっている。
【００２７】
かくして、上記のように構成される蔓差込部６は、図４に示すように、眼鏡２０の蔓２１を、フード本体２の外部から開口部６ａに差し込み、挿通部６ｂを挿通して、連通部６ｃからフード本体２の内部に挿通するものである。このように、蔓差込部６は、眼鏡２０の蔓２１がフード本体２の外部から差し込まれる開口部６ａを備えるから、フード本体２と着用者１０の頭部１１との間に隙間が生成されることがなくなり、もって、フード本体２の着用者１０の頭部１１に対する密着性を向上させることができる。これにより、着用者１０の頭髪の脱落や、頭髪に付着した塵埃の飛散をより可及的に低減させることができる。
【００２８】
なお、本実施形態の蔓差込部６は、挿通部６ｂが開口部３の周縁右部３ｃ及び周縁左部３ｄの内側に縫い付けられ、連通部６ｃがフード本体２の内部と連通するように設けられていたが、これに限定されるものではなく、例えば、挿通部６ｂを開口部３の周縁右部３ｃ及び周縁左部３ｄの外側に縫い付け、連通部６ｃをフード本体２の外部と連通するように設けてもよい。また、挿通部６ｂは、開口部３の周縁右部３ｃ及び周縁左部３ｄの外側において、例えば、伸縮性を有する環状テープをフード本体２の外側部分２ｂに縫い付けるものであってもよい。
【００２９】
次に、防塵フード１の着用方法について詳細に説明する。
【００３０】
まず、着用者１０は眼鏡２０を頭部１１から取り外した状態で、着用者１０の頭部１１及び頸部１２の全体を覆うように、かつ着用者１０の顔面１３が開口部３から露出するように、フード本体２を頭部１１及び頸部１２に装着する。次いで、図４に示すように、眉被覆部５が眉部１６を被覆するように、眉被覆部５を眉部１６に接触するように装着する。次いで、顎被覆部４が顎部１４の前面１４ａを被覆するように、顎被覆部４を顎部１４の前面１４ａに接触するように装着する。そして、蔓差込部６に眼鏡２０の蔓２１を差し込み、眼鏡２０を頭部１１に装着する。
【００３１】
かくして、このようにして、着用者１０は、防塵フード１を着用することができる。
【００３２】
しかして、以上説明した本実施形態によれば、防塵フード１は、着用者１０の顎部１４の前面１４ａを被覆する顎被覆部４が開口部３の周縁下部３ａに設けられているから、着用時において顎部１４の前面１４ａが顎被覆部４に接触することによって、顎被覆部４及び開口部３の周縁下部３ａが前方及び下方に引っ張られ、さらに、開口部３の周縁上部３ｂ、周縁右部３ｃ及び周縁左部３ｄが前方及び下方に引っ張られることとなり、もって、開口部３の顔面１３が露出する面積を小さくすることができる（本実施形態では、図４に示すように、例えば、開口部３の周縁右部３ｃ及び周縁左部３ｄが目尻の直近位置に位置するように前方及び下方に引っ張られている）。これにより、揉み上げが多い着用者１０であっても、開口部３から揉み上げが露出することがなくなり、もって、着用者１０の揉み上げの脱落や、揉み上げに付着した塵埃の飛散を可及的に低減させることができる。さらに、着用時において顎部１４の前面１４ａが顎被覆部４によって被覆されるから、顎鬚を有する着用者１０であっても、開口部３から顎鬚が露出することがなくなり、もって、着用者１０の顎鬚の脱落や、顎鬚に付着した塵埃の飛散を可及的に低減させることができる。
【符号の説明】
【００３３】
１        防塵フード
２        フード本体
２ａ      内側部分
２ｂ      外側部分
３        開口部
３ａ      周縁下部
３ａ１    右側部分
３ａ２    左側部分
３ｂ      周縁上部
３ｂ１    上側部分
３ｃ      周縁右部
３ｄ      周縁左部
４        顎被覆部
４ａ      右側部分
４ｂ      左側部分
５        眉被覆部
５ａ      上側部分
６        蔓差込部
６ａ      開口部
６ｂ      挿通部
６ｃ      連通部
１０      着用者
１１      頭部
１２      頸部
１３      顔面
１４      顎部
１４ａ    前面
１５      口唇部
１５ａ    直下位置
１６      眉部
２０      眼鏡
２１      蔓
【図１】
2017125268.tif 000003
【図２】
2017125268.tif 000004
【図３】
2017125268.tif 000005
【図４】
2017125268.tif 000006